【手続補正書】
【提出日】平成16年1月20日(2004.1.20)
【手続補正１】
【補正対象書類名】明細書
【補正対象項目名】特許請求の範囲
【補正方法】変更
【補正の内容】
【特許請求の範囲】
【請求項１】
ユーザにリアルタイム格付けを提供するシステムであって、
複数の位置のユーザテレビ装置において、少なくとも１人のユーザの動向に基づいてリアルタイム格付け情報を収集する手段と、
リアルタイムで該少なくとも１人のユーザテレビ装置に該リアルタイム格付け情報を表示する手段と
を備える、システム。
【請求項２】
前記リアルタイム格付けについて時間フレームを規定する機会を提供する手段をさらに備えた、請求項１に記載のシステム。
【請求項３】
前記リアルタイム格付けについて時間フレームを規定する機会を提供する手段が、該リアルタイム格付けについてこの１時間の時間フレームを規定する機会を提供する手段を備えている、請求項２に記載のシステム。
【請求項４】
前記リアルタイム格付けについて時間フレームを規定する機会を提供する手段が、該リアルタイム格付けについて今晩の時間フレームを規定する機会を提供する手段を備えている、請求項２に記載のシステム。
【請求項５】
前記リアルタイム格付けについて時間フレームを規定する機会を提供する手段が、該リアルタイム格付けについて今日の時間フレームを規定する機会を提供する手段を備えている、請求項２に記載のシステム。
【請求項６】
前記リアルタイム格付けについて時間フレームを規定する機会を提供する手段が、該リアルタイム格付けについて今週の時間フレームを規定する機会を提供する手段をさらに備えている、請求項２に記載のシステム。
【請求項７】
前記リアルタイム格付けについて時間フレームを規定する機会を提供する手段が、該リアルタイム格付けについてこの瞬間の時間フレームを規定する機会を提供する手段をさらに備えている、請求項２に記載のシステム。
【請求項８】
前記リアルタイム格付けについて地理的地域を選択する機会を提供する手段をさらに備え、地理的地域の選択は、ユーザのリストを規定する、請求項１に記載のシステム。
【請求項９】
前記リアルタイム格付けについてジャンルを選択する機会を提供する手段をさらに備えた、請求項１に記載のシステム。
【請求項１０】
前記リアルタイム格付けがテレビ番組についてのものであるかどうかを選択する機会を提供する手段をさらに備えた、請求項１に記載のシステム。
【請求項１１】
前記リアルタイム格付けがアプリケーションについてのものであるかどうかを選択する機会を提供する手段をさらに備えた、請求項１に記載のシステム。
【請求項１２】
前記リアルタイム格付けが非番組ガイドアプリケーションについてのものであるかどうかを選択する機会を提供する手段をさらに備えた、請求項１に記載のシステム。
【請求項１３】
前記リアルタイム格付けがビデオゲームについてのものであるかどうかを選択する機会を提供する手段をさらに備えた、請求項１に記載のシステム。
【請求項１４】
前記リアルタイム格付け情報を表示する手段が、リアルタイムテレビ番組格付けを表示する手段を備えている、請求項１に記載のシステム。
【請求項１５】
前記リアルタイム格付け情報を表示する手段が、リアルタイムビデオゲーム格付けを表示する手段を備えている、請求項１に記載のシステム。
【請求項１６】
前記リアルタイム格付け情報を表示する手段が、今晩の時間帯についてのリアルタイム格付けを表示する手段を備えている、請求項１に記載のシステム。
【請求項１７】
前記リアルタイム格付け情報を表示する手段が、この瞬間の時間帯についてのリアルタイム格付けを表示する手段を備えている、請求項１に記載のシステム。
【請求項１８】
どの種類のリアルタイム格付けを表示するかを各ユーザに選択可能にする手段をさらに備えた、請求項１に記載のシステム。
【請求項１９】
前記リアルタイム格付け情報を収集する手段が、特定の番組を見ているときに消音機能が使用されているかどうかに関する情報を収集する手段を備えている、請求項１に記載のシステム。
【請求項２０】
前記リアルタイム格付け情報を収集する手段が、ある番組を見ているときに該番組の映像の任意の一部が遮られているかどうかに関する情報を収集する手段を備えている、請求項１に記載のシステム。
【請求項２１】
前記リアルタイム格付け情報が複数の番組のリストを含み、前記システムが、該複数の番組の１つを購入するために選択する手段をさらに備えている、請求項１に記載のシステム。
【請求項２２】
前記リアルタイム格付け情報が複数の番組のリストを含み、前記システムが、該複数の番組の１つを、該番組のリマインダをセットするために、選択する手段をさらに備えている、請求項１に記載のシステム。
【請求項２３】
前記リアルタイム格付け情報が複数の番組のリストを含み、前記システムが、該複数の番組の１つを録画するために選択する手段をさらに備えている、請求項１に記載のシステム。
【請求項２４】
リアルタイム格付けをユーザに提供する方法であって、
複数の位置のユーザテレビ装置において、少なくとも１人のユーザの動向に基づいてリアルタイム格付け情報を収集するステップと、
リアルタイムで該少なくとも１人のユーザのテレビ装置に該リアルタイム格付け情報を表示するステップと
を包含する、方法。
【請求項２５】
前記リアルタイム格付けについて時間フレームを規定する機会を提供するステップをさらに包含する、請求項２４に記載の方法。
【請求項２６】
前記リアルタイム格付けについて時間フレームを規定する機会を提供するステップが、該リアルタイム格付けについてこの１時間の時間フレームを規定する機会を提供するステップを包含している、請求項２５に記載の方法。
【請求項２７】
前記リアルタイム格付けについて時間フレームを規定する機会を提供するステップが、該リアルタイム格付けについて今晩の時間フレームを規定する機会を提供するステップを包含している、請求項２５に記載の方法。
【請求項２８】
前記リアルタイム格付けについて時間フレームを規定する機会を提供するステップが、該リアルタイム格付けについて今日の時間フレームを規定する機会を提供するステップを包含している、請求項２５に記載の方法。
【請求項２９】
前記リアルタイム格付けについて時間フレームを規定する機会を提供するステップが、該リアルタイム格付けについて今週の時間フレームを規定する機会を提供するステップをさらに包含している、請求項２５に記載の方法。
【請求項３０】
前記リアルタイム格付けについて時間フレームを規定する機会を提供するステップが、該リアルタイム格付けについてこの瞬間の時間フレームを規定する機会を提供するステップをさらに包含している、請求項２５に記載の方法。
【請求項３１】
前記リアルタイム格付けについて地理的地域を選択する機会を提供するステップをさらに包含し、地理的地域の選択は、ユーザのリストを規定する、請求項２４に記載の方法。
【請求項３２】
前記リアルタイム格付けについてジャンルを選択する機会を提供するステップをさらに包含する、請求項２４に記載の方法。
【請求項３３】
前記リアルタイム格付けがテレビ番組についてのものであるかどうかを選択する機会を提供するステップをさらに包含する、請求項２４に記載の方法。
【請求項３４】
前記リアルタイム格付けがアプリケーションについてのものであるかどうかを選択する機会を提供するステップをさらに包含する、請求項２４に記載の方法。
【請求項３５】
前記リアルタイム格付けが非番組ガイドアプリケーションについてのものであるかどうかを選択する機会を提供するステップをさらに包含する、請求項２４に記載の方法。
【請求項３６】
前記リアルタイム格付けがビデオゲームについてのものであるかどうかを選択する機会を提供するステップをさらに包含する、請求項２４に記載の方法。
【請求項３７】
前記リアルタイム格付け情報を表示するステップが、リアルタイムテレビ番組格付けを表示するステップを包含している、請求項２４に記載の方法。
【請求項３８】
前記リアルタイム格付け情報を表示するステップが、リアルタイムビデオゲーム格付けを表示するステップを包含している、請求項２４に記載の方法。
【請求項３９】
前記リアルタイム格付け情報を表示するステップが、今晩の時間帯についてのリアルタイム格付けを表示するステップを包含している、請求項２４に記載の方法。
【請求項４０】
前記リアルタイム格付け情報を表示するステップが、この瞬間の時間帯についてのリアルタイム格付けを表示するステップを包含している、請求項２４に記載の方法。
【請求項４１】
どの種類のリアルタイム格付けを表示するかを各ユーザに選択させるステップをさらに包含する、請求項２４に記載の方法。
【請求項４２】
前記リアルタイム格付け情報を収集するステップが、特定の番組を見ているときに消音機能が使用されているかどうかに関する情報を収集するステップを包含している、請求項２４に記載の方法。
【請求項４３】
前記リアルタイム格付け情報を収集するステップが、ある番組を見ているときに該番組の映像の任意の一部が遮られているかどうかに関する情報を収集するステップを包含している、請求項２４に記載の方法。
【請求項４４】
前記リアルタイム格付け情報が複数の番組のリストを含み、前記方法が、該複数の番組の１つを購入するために選択するステップをさらに包含している、請求項２４に記載の方法。
【請求項４５】
前記リアルタイム格付け情報が複数の番組のリストを含み、前記方法が、該複数の番組の１つを、該番組のリマインダをセットするために、選択するステップをさらに包含している、請求項２４に記載の方法。
【請求項４６】
前記リアルタイム格付け情報が複数の番組のリストを含み、前記方法が、該複数の番組の１つを録画するために選択するステップをさらに包含している、請求項２４に記載の方法。